(57)【特許請求の範囲】
【請求項１】
物品の立ち下がり部位と、この物品の立ち下がり部位の上部左側に突出された物品の左側突出部位、前記物品の立ち下がり部位の上部右側に突出された物品の右側突出部位とからなるヘッドとからなるＴ字形物品を、着脱自在形態で保持するＴ字形物品ホルダであって、
腰ベルトや壁などの取付箇所に取り付けられる部位である取付部位と、
この取付部位から外側に延び立ちあがるような突出形態で設けられた、前記取付部位の近接側を前記物品の左側突出部位が載り支持される左側載り部位とし、かつ、前記左側載り部位に連絡して立ち上がった部位を該左側載り部位に前記物品の左側突出部位を案内する左側案内立ち部位としてなる左側案内支持部と、
前記取付部位から外側に延び立ちあがるような突出形態で設けられた、前記取付部位の近接側を前記物品の右側突出部位が載り支持される右側載り部位とし、かつ、前記右側載り部位に連絡して立ち上がった部位を該右側載り部位に前記物品の右側突出部位を案内する右側案内立ち部位としてなる右側案内支持部と、
前記左側案内支持部と前記右側案内支持部の間に形成された、前記左側案内支持部と前記右側案内支持部の上方端方を前記物品の立ち下がり部位を出入り自在としている物品の立ち下がり部位出入り口とし、かつ、前記物品の立ち下がり部位出入り口から前記左側載り部位および前記右側載り部位までの移動を自在としている物品の立ち下がり部位移動空間と、
前記左側載り部位および前記右側載り部位の上方に設けられた、上がり移動する前記ヘッドが当ってその上がり移動を阻止するヘッド上がり移動阻止部と、
このヘッド上がり移動阻止部と前記左側案内支持部および前記右側案内支持部の間に形成された、前記ヘッドの出入りおよび移動を自在としているヘッド移動空間とからなることを特徴とするＴ字形物品ホルダ。
【請求項２】
物品の左側突出部位および物品の右側突出部位が左側載り部位および右側載り部位を内側に滑り移動して、取付部位側に自然に位置するように、前記左側載り部位および前記右側載り部位が内側に向かって下り傾斜形態となっていることを特徴とする請求項１に記載のＴ字形物品ホルダ。
【請求項３】
左側案内立ち部位および右側案内立ち部位が全体として弧形態ないし湾曲形態であり、かつ、左側案内支持部および右側案内支持部の端方がヘッド上がり移動阻止部の外側端部より高い位置形態とされ、かつ、前記外側部位の略真上に位置する形態、該真上の内側である該ヘッド上がり移動阻止部に被さる形態あるいは該真上の外側に位置する形態であるであることを特徴とする請求項１、２のいずれか1項に記載のＴ字形物品ホルダ。
【請求項４】
取付部位が腰ベルトに装着される取付部位であり、保持するＴ字形物品がハンマーであり、左側載り部位および右側載り部位の位置が、前記腰ベルトの中央よりも上方に位置され、前記腰ベルトの上部と略同じ位置されあるいは前記腰ベルトの上部より上方に位置されてなることを特徴とする請求項１〜３のいずれか1項に記載のＴ字形物品ホルダ。
【請求項５】
取付部位が腰ベルトに装着される取付部位であり、保持するＴ字形物品がハンマーであり、前記ハンマーのヘッドがヘッド上がり移動阻止部に当りさらに押し上げる力が加わった場合には、該押し上げる力によって前記取付部位が上昇移動するあるいは、前記取付部位は移動せず左側案内支持部、右側案内支持部およびヘッド上がり移動阻止部が一体となって上昇移動するようにしてなることを特徴とする請求項１〜４のいずれか1項に記載のＴ字形物品ホルダ。
【発明の詳細な説明】
【技術分野】
【０００１】
本発明は、Ｔ字形ハンマーやＴ字形ラチエットレンチ、Ｔ字形充電ドライバー、ホークあるいはスプーンなどのＴ字形物品を着脱自在形態で保持するＴ字形物品ホルダに関する。
【背景技術】
【０００２】
従来、内行き阻止部１９で柄が内側に行くのが阻止され、第１のヘッド上面当り部位１２ａおよび第２のヘッド上面当り部位１２ｂで上に行くのが阻止され、第１のヘッド側面当り部位１１ａおよび第２のヘッド側面当り部位１１ｂで外側に行くのが阻止され、連絡部位がヘッド保持部１３から逃れられない保持形態を実現するとともに、柄を一方の手で握って水平状態より少し下向きから水平状態のところまで起こして、連絡部位をヘッド保持部１３からヘッド出し入れ空間部１８に移動させ、そのまま連絡部位を持ち上げ第２のヘッド出し入れ開口部１７から外に出すことができ、入れる場合はこの逆の操作を行えばよいというハンマーホルダが知られている。（例えば特許文献１。符号は特許文献１のもの。）
【先行技術文献】
【特許文献】
【０００３】
【特許文献１】特開2011-140112号公報
【非特許文献】
【０００４】
【非特許文献１】特になし
【発明の概要】
【発明が解決しようとする課題】
【０００５】
上述した従来技術は、次に述べるような欠点があった。
（１）ハンマーの柄（物品の立ち下がり部位）を内側に行くのを阻止するベルトおよび身体から外側に離れた位置に内行き阻止部１９が位置しているので、ハンマーの柄が内側にも振れ、よって、柄の外側内側への振れが大きな振れることになる欠点を有するものであった。
（２）装着者が尻を床・地面に降ろし座った場合に、柄が長い場合には、柄が地面や床に当ってハンマーヘッドが押し上げられ、第２のヘッド出し入れ開口部１７からハンマーヘッド（物品の左側突出部位と物品の右側突出部位とからなる）が飛び出し外れてしまう危険があるという欠点を有するものであった。
しかるに、装着者の尻降ろし座り状態にあって、柄が床等に当る場合は柄を外側に逃がし形態とするのであるが、この場合にあっては、ハンマーヘッドは第２のヘッド出し入れ開口部１７側に押しやられ、身体がハンマーホルダ側に移動すると柄は床等に押されハンマーヘッドが第２のヘッド出し入れ開口部１７より上に押し出され、よって、外れてしまう危険がないとは言えないものであった。
（３）装着者の激しい動作によってハンマーが激しく振れ動いた場合にあっては、ハンマーヘッドとベルトが離れているため、保持したハンマーヘッドが激しく捩れ振れ状態（回り横振れ状態＋回り縦振れ状態）になり外れるという危険が無いとは言えないものであった。
これは、ハンマーヘッドの上方移動を阻止する第１のヘッド上面当り部位１２ａおよび第２のヘッド上面当り部位１２ｂの幅が、ハンマーの柄（物品の立ち下がり部位）より僅かに広い幅の第１のヘッド載せ部位１０ａと第２のヘッド載せ部位１０ｂの幅と同じ狭い幅となっているとともに、外側からハンマーヘッドが出入りする開口に向けて延びて形態であること、および、可能な限りハンマーヘッド位置をベルトに近づける形態が合理的な形態であるために、ハンマーヘッドの上方への移動を阻止する第１のヘッド上面当り部位１２ａ、第２のヘッド上面当り部位１２ｂの長さが、内行き阻止部１９の略真上位置になってしまい、よって、ハンマーヘッドが回り横振れをした場合では、内側に回ったヘッドがヘッド上面当り部位の外側に外れて第２のヘッド出し入れ開口部１７に入り外れやすい状態になることによる。
【０００６】
本発明は以上のような従来技術の欠点に鑑み、Ｔ字形物品がハンマーである場合は、ハンマー全体の保持位置がベルトおよび身体に近接するとともに、ヘッドが上方に押され該上方に移動しても該ヘッドの上方移動が阻止されるＴ字形物品ホルダを提供することを第１の目的としている。
また、前記第１の目的に加えて、ヘッドおよび柄が激しく捩れ振れ状態になっても、外れることがないＴ字形物品ホルダを提供することを第２の目的としている。
【課題を解決するための手段】
【０００７】
上記目的を達成するために、本発明は次に述べるような構成としている。
＜請求項１記載の発明＞
物品の立ち下がり部位と、この物品の立ち下がり部位の上部左側に突出された物品の左側突出部位、前記物品の立ち下がり部位の上部右側に突出された物品の右側突出部位とからなるヘッドとからなるＴ字形物品を、着脱自在形態で保持するＴ字形物品ホルダであって、
腰ベルトや壁などの取付箇所に取り付けられる部位である取付部位と、
この取付部位から外側に延び立ちあがるような突出形態で設けられた、前記取付部位の近接側を前記物品の左側突出部位が載り支持される左側載り部位とし、かつ、前記左側載り部位に連絡して立ち上がった部位を該左側載り部位に前記物品の左側突出部位を案内する左側案内立ち部位としてなる左側案内支持部と、
前記取付部位から外側に延び立ちあがるような突出形態で設けられた、前記取付部位の近接側を前記物品の右側突出部位が載り支持される右側載り部位とし、かつ、前記右側載り部位に連絡して立ち上がった部位を該右側載り部位に前記物品の右側突出部位を案内する右側案内立ち部位としてなる右側案内支持部と、
前記左側案内支持部と前記右側案内支持部の間に形成された、前記左側案内支持部と前記右側案内支持部の上方端方を前記物品の立ち下がり部位を出入り自在としている物品の立ち下がり部位出入り口とし、かつ、前記物品の立ち下がり部位出入り口から前記左側載り部位および前記右側載り部位までの移動を自在としている物品の立ち下がり部位移動空間と、
前記左側載り部位および前記右側載り部位の上方に設けられた、上がり移動する前記ヘッドが当ってその上がり移動を阻止するヘッド上がり移動阻止部と、
このヘッド上がり移動阻止部と前記左側案内支持部および前記右側案内支持部の間に形成された、前記ヘッドの出入りおよび移動を自在としているヘッド移動空間とからなることを特徴とするＴ字形物品ホルダである。
＜請求項２記載の発明＞
物品の左側突出部位および物品の右側突出部位が左側載り部位および右側載り部位を内側に滑り移動して、取付部位側に自然に位置するように、前記左側載り部位および前記右側載り部位が内側に向かって下り傾斜形態となっていることを特徴とする請求項１に記載のＴ字形物品ホルダである。
＜請求項３記載の発明＞
左側案内立ち部位および右側案内立ち部位が全体として弧形態ないし湾曲形態であり、かつ、左側案内支持部および右側案内支持部の端方がヘッド上がり移動阻止部の外側端部より高い位置形態とされ、かつ、前記外側部位の略真上に位置する形態、該真上の内側である該ヘッド上がり移動阻止部に被さる形態あるいは該真上の外側に位置する形態であるであることを特徴とする請求項１、２のいずれか1項に記載のＴ字形物品ホルダである。
＜請求項４記載の発明＞
取付部位が腰ベルトに装着される取付部位であり、保持するＴ字形物品がハンマーであり、左側載り部位および右側載り部位の位置が、前記腰ベルトの中央よりも上方に位置され、前記腰ベルトの上部と略同じ位置されあるいは前記腰ベルトの上部より上方に位置されてなることを特徴とする請求項１〜３のいずれか1項に記載のＴ字形物品ホルダである。
＜請求項５記載の発明＞
取付部位が腰ベルトに装着される取付部位であり、保持するＴ字形物品がハンマーであり、前記ハンマーのヘッドがヘッド上がり移動阻止部に当りさらに押し上げる力が加わった場合には、該押し上げる力によって前記取付部位が上昇移動するあるいは、前記取付部位は移動せず左側案内支持部、右側案内支持部およびヘッド上がり移動阻止部が一体となって上昇移動するようにしてなることを特徴とする請求項１〜４のいずれか1項に記載のＴ字形物品ホルダである。
【発明の効果】
【０００８】
以上の説明から明らかなように、本発明にあっては次に列挙する効果が得られる。
＜請求項１記載の発明の効果＞
Ｔ字形物品がハンマーである場合で説明する。
特許文献１のハンマーの柄をベルトおよび身体から外側に離れた位置にする内行き阻止部１９が無いので、ハンマーヘッドおよびハンマーの保持位置はベルトおよび身体に近接した位置となり、その柄は腿に当り内側に行くことはなく、振れは外側のみとなりかつパンツと腿肉が物品の立ち下がり部位１２の当り反発振れを緩衝する緩衝材となるので振れが小さくなるという効果を奏する。
また、ヘッド上がり移動阻止部の横幅を、左側案内支持部から右側案内支持部までの幅（物品の立ち下がり部位出入り口および物品の立ち下がり部位移動空間の幅）に規制されることなく、広くすることが可能であるという効果を奏する。
これによって、ヘッド上がり移動阻止部の左右幅が長くなった分だけヘッドの振れ規制が抑制されるので、ハンマーヘッドの左右への回り縦振れともいうべき振れ（以下「回り縦振れ」という）を確実に抑制し該回り縦振れを小さくでき、よって、外れ無いハンマーホルダを実現するという効果を奏する。
また、装着者の身体動作が激しくてハンマーヘッドおよび物品の立ち下がり部位が捩れ振れ状態（回り横振れ状態＋回り縦振れ状態）になって場合においては、（イ）ハンマーの右回り縦振れ時では、物品の左側突出部位の上部面はヘッド上がり移動阻止部の左側に当たりその上方移動が阻止され、物品の左側突出部位の外面ないし下縁は左側案内支持部に当りその外方向移動が阻止され、物品の右側突出部位は右側載り部位の根本、取付部位ないし腰ベルトに当り、かつ右側載り部位あたりに、その下部面ないし下縁を押し付けられてその内側移動および下方移動が阻止され、（ロ）ハンマーの左回り縦振れ時では、物品の右側突出部位の上部面ヘッド上がり移動阻止部の右側に当たりその上方移動が阻止され、物品の右側突出部位の外面はないし下縁は右側案内支持部に当りその外方向移動が阻止され、物品の左側突出部位は左側載せ部位、取付部位ないし腰ベルトに当りかつ左側載り部位あたりに、その下部面ないし下縁を押し付けられてその内側移動および下方移動が阻止される。
すなわち、上記（イ）、（ロ）のハンマーヘッド規制機能によって、ハンマーヘッドはどのように激しく振れようとも、外れることが無いＴ字形物品ホルダの一形態であるハンマーホルダを実現するという効果を奏する。
また、装着者が床等に尻降ろしで座った場合に、長い柄が床面に当りハンマーヘッドが押し上げられても身体側に押し上げられので、ハンマーヘッドは確実にヘッド上がり移動阻止部に当りそれ以上の上昇が阻止され、かつ、側方は柄が左側案内支持部および右側案内支持部によって移動が阻止されるので、ハンマーヘッドが外れる危険が無いという効果を奏する。
＜請求項２記載の発明の効果＞
請求項１記載の発明と同様な効果を奏するとともに、次に述べるような効果を奏する。
すなわち、
左側案内立ち部位および右側案内立ち部位が全体として弧形態ないし湾曲形態であり、かつ、左側案内支持部および右側案内支持部の端方がヘッド上がり移動阻止部の外側端部より高い位置形態とされ、かつ、前記外側部位の略真上に位置する形態、該真上の内側である該ヘッド上がり移動阻止部に被さる形態あるいは該真上の外側に位置する形態であるであることによって、たとえ、激しい振れによってハンマーヘッドがヘッド移動空間まで動いてしまっても、左側案内支持部および右側案内支持部の長さおよびその高さによって外れることはなく、ハンマーはその自重により直ちに落ち弧形態ないし湾曲形態（＝下り傾斜形態）のヘッド移動空間より下方の左側案内立ち部位および右側案内立ち部位によって、自然に・自動的に速やかに左側載り部位および右側載り部位に載って落ち着くという効果を奏する。
＜請求項３記載の発明の効果＞
請求項１、２のいずれか1項に記載の発明と同様な効果を奏するとともに、次に述べるような効果を奏する。
すなわち、
取付部位が腰ベルトに装着される取付部位であり、保持するＴ字形物品がハンマーであり、左側載り部位および右側載り部位の位置が、前記腰ベルトの中央よりも上方に位置され、前記腰ベルトの上部と略同じ位置されあるいは前記腰ベルトの上部より上方に位置されてなるものであるので、その分だけ縦部位下部位置が上がるので、尻が床・地面に着くような状態でも柄（物品の立ち下がり部位）の、床・地面への突き当たり感を弱めかつ突き上げ状態を軽減することができるという効果を奏する。
左側案内支持部、右側案内支持部およびヘッド上がり移動阻止部を一体化されたホルダ部位とし、取付部位への取付固定位置を変えることができるようにした形態も技術的範疇に含まれるものである。このような形態としては、例えば、取付部位に上下方向に複数のネジ孔ないしねじ通し孔が設けられ、ホルダ部位側にネジ通し孔ないしネジ孔が設けられ、ボルトやネジビスによって取付固定位置を変えることができるようにするなどである。
＜請求項４記載の発明の効果＞
請求項１〜３のいずれか1項に記載の発明と同様な効果を奏するとともに、次に述べるような効果を奏する。
すなわち、
柄（物品の立ち下がり部位）の長いハンマーを装着した場合に、尻座り状態になっても、ハンマーヘッドとともに左側案内支持部、右側案内支持部およびヘッド上がり移動阻止部が一体となって上昇移動するので、突き上げ状態を解消および柄を外側に動かす操作を行わなくてもよいという効果を奏する。
【図面の簡単な説明】
【０００９】
【図１】本発明の実施例１の斜視図。
【図２】本発明の実施例１のハンマーの装着した状態の斜視図。
【図３】本発明の実施例１のハンマーの装着流れを示す側面図。
【図４】本発明の実施例２の側面図。
【図５】本発明の実施例３の斜視図。
【図６】本発明の実施例４の側面図および動作図。
【図７】本発明の実施例５の側面図および動作図。
【発明を実施するための形態】
【００１０】
以下、本発明を実施するための形態である実施例を説明する。但し、本発明をそれらに限定する趣旨のものではない。また、後述の実施例の説明において前述の実施例と同じ構成には同じ符号を付しその説明を省略する。
【実施例１】
【００１１】
図１〜図３に示す本発明の実施例１において、１はＴ字形部材用ホルダであって、このＴ字形部材用ホルダ１は次に述べるような構成となっている。
【００１２】
物品の左側突出部位２と物品の右側突出部位３、その間の頂部である連絡部位２２とからなるハンマーヘッドであるヘッド２４と、その下部に設けられた柄である物品の立ち下がり部位１２から構成されるハンマーであるＴ字形物品４を着脱自在形態で保持するＴ字形物品ホルダ１は次のような構成となっている。
腰ベルト６を取付部位本体２３に設けられたベルト通し孔７に通して該腰ベルト６に装着する部位である取付部位８と、
この取付部位８から外側に延び立ちあがるような突出形態で設けられた、Ｔ字形物品４の前記取付部位８近接側を前記物品の左側突出部位２が載り支持される左側載り部位９とし、かつ、前記左側載り部位９に連絡して立ち上がった部位を該左側載り部位９に前記物品の左側突出部位２を案内する左側案内立ち部位１０としてなる左側案内支持部１１と、
前記取付部位８から外側に延び立ちあがるような突出形態で設けられた、前記取付部位８近接側をＴ字形物品４の前記物品の右側突出部位３が載り支持される右側載り部位１３とし、かつ、前記右側載り部位１３に連絡して立ち上がった部位を該右側載り部位１３に前記物品の右側突出部位３を案内する右側案内立ち部位１４としてなる右側案内支持部１５と、
前記左側案内支持部１１と前記右側案内支持部１５の間に形成された、前記左側案内支持部１１と前記右側案内支持部１５の上方端方をＴ字形物品４の前記物品の立ち下がり部位１２を出入り自在としている物品の立ち下がり部位出入り口１６とし、かつ、前記物品の立ち下がり部位１２を前記物品の立ち下がり部位出入り口１６から前記左側載り部位９および前記右側載り部位１３までを出入りおよび移動を自在としている物品の立ち下がり部位移動空間１７と、
前記左側載り部位９および前記右側載り部位１３の上方に設けられた、前記連絡部位２２が上り移動しようとした場合にその上がり移動を阻止する、外側に下向き傾斜形態とされたヘッド上がり移動阻止部１８と、
このヘッド上がり移動阻止部１８と前記左側案内支持部１１および前記右側案内支持部１５の間に形成された、前記ヘッド２４の出入りおよび移動を自在としているヘッド移動空間１９とからなっている。
【００１３】
左側案内立ち部位１３および右側案内立ち部位１４が全体として弧形態ないし湾曲形態であり、かつ、左側案内支持部１１および右側案内支持部１５の端方がヘッド上がり移動阻止部１８の外側端部より高い位置形態とされ、かつ、前記外側部位の真上から外側に５ｍｍ〜１０ｍｍほど外側に位置する位置形態となっている。しかるに、左側案内支持部１１および右側案内支持部１５の端方の位置は前記高さ位置とともに前記外側部位の略真上に位置する形態、該真上の内側である該ヘッド上がり移動阻止部に被さる形態とするのもよい。
左側案内立ち部位１３および右側案内立ち部位１４が、ヘッド２４の物品の左側突出部位２および物品の右側突出部位３が左側載り部位９および右側載り部位１３に滑り移動して自動的に（自然に）位置するように、内側に向かって下り傾斜部位を形成している。
前記左側案内支持部１１、前記右側案内支持部１５および移動阻止部１８からなるホルダ部分は、一本の針金部材ないし金属製棒部材を折り曲げて形成してなるものであり、左側載り部位９および右側載り部位１３と移動阻止部１８を連絡する連絡部位２０、２１を金属製の取付部位８に熔接（ピン止め、ネジ止めなどでもよい）によって取付固定されている。
【００１４】
Ｔ字形物品ホルダのホルダ部分の全部を一枚の板製部材を抜き折り曲げて形成するのもよく、また、ヘッド上がり移動阻止部だけを板部製部材のものにするのもよく、多様な形態および形成方法がある。
【００１５】
特許文献１のハンマーの柄をベルトおよび身体から外側に離れた位置にする内行き阻止部１９が無いので、ヘッド２４およびＴ字形物品４の保持位置はベルト６および身体（図示せず省略）に近接した位置となり、その物品の立ち下がり部位１２は腿に当り内側に行くことはなく、振れは外側のみとなりかつパンツと腿肉が物品の立ち下がり部位１２の当り反発振れを緩衝する緩衝材となるので振れが小さくなる。
また、ヘッド上がり移動阻止部１８の横幅を、左側案内支持部１１から右側案内支持部１５までの幅（物品の立ち下がり部位出入り口１６および物品の立ち下がり部位移動空間１７の幅）に規制されることなく、広くすることが可能であるという効果を奏する。
これによって、ヘッド２４の回り縦振れを確実に抑制し該回り縦振れを小さくでき、よって、外れ無いハンマーホルダを実現するという効果を奏する。
また、装着者の身体動作が激しくてヘッド２４および物品の立ち下がり部位１２が捩れ振れ状態（回り横振れ状態＋回り縦振れ状態）になって場合においては、（イ）ヘッド２４の右回り振れ時では、物品の左側突出部位２の上部面ないし連絡部位２２上面はヘッド上がり移動阻止部１８の左側に当たりその上方移動が阻止され、物品の左側突出部位２の外面ないし下縁は左側案内支持部１１に当りその外方向移動が阻止され、物品の右側突出部位３は右側載せ部位１３の根本、取付部位８ないし腰ベルト６に当りかつ右側載り部位１３にその下部面を押し付けられてその内側移動および下方移動が阻止され、（ロ）ヘッド２４の左回り振れ時では、物品の右側突出部位３の上部面ないし連絡部位２２上面はヘッド上がり移動阻止部１８の右側に当たりその上方移動が阻止され、物品の右側突出部位３の外面ないし下縁は右側案内支持部１４に当りその外方向移動が阻止され、物品の左側突出部位２は左側載せ部位９、取付部位８ないし腰ベルト６に当りかつ左側載り部位９あたりに、その下部面ないし下縁を押し付けられてその内側移動および下方移動が阻止される。
すなわち、上記（イ）、（ロ）のヘッド２４の規制機能によって、ヘッド２４はどのように激しく振れようとも、外れることが無いＴ字形物品ホルダ１（実施例１ではハンマーホルダ）を実現する。
Ｔ字形物品ホルダ１はＴ字形物品４の振れ動作が上記のように規制される、かつ、Ｔ字形物品４が着脱自在となるような寸法形態となっている。
【００１６】
図３に示すように、手に持った物品の立ち下がり部位１２を物品の立ち下がり部位出入り口１６に入れ外側に少し移動させてヘッド２４をヘッド移動空間１９に位置させ、手を離せばヘッド２４は左側案内支持部１１および右側案内支持部１５に支持案内されて下降し、左側載り部位９および右側載り部位１３上に位置し載り保持される。
図示していないが、装着者が床等に尻降ろしで座った場合に、長い柄（物品の立ち下がり部位１２）の下部が床面に当りヘッド２４が押し上げられても身体側に向いて押し上げられので、ヘッド２４は確実にヘッド上がり移動阻止部１８に当りそれ以上の上昇が阻止され、かつ、側方は柄が左側案内支持部９および右側案内支持部１３によって前後への移動が阻止されるので、ヘッド２４はＴ字形部材用ホルダ１から外れることが無い。
【００１７】
取付部位は、ベルトを横から通す形態、天井や壁から吊るようにワイヤあるいはロープを掛けるフックやリングからなる吊り状態にされる部位を設けた形態、あるいは壁面に取付けるようにビス通し孔を設けたもの、壁面に貼り付ける粘着面を設けたものなど多様な形態の取付部位がある。
【実施例２】
【００１８】
図４に示す本発明の実施例２において前記実施例１と主に異なる点は、取付部位を、取付部位本体２３を下方に延ばした形態として、ベルト通し孔７の下部にもう一つのベルト通し孔２７を設けてなる取付部位２８としたＴ字形物品ホルダ２９を形成した点にある。
ベルト通し孔７に腰ベルト６を通した場合では、左側載り部位９および右側載り部位１３は腰ベルト６の下部側に位置し、ベルト通し孔２７に腰ベルト６を通した場合では、左側載り部位９および右側載り部位１３は腰ベルト６の上部側ないし上方に位置するようになる。
これにより、腰ベルト６上の他の工具および工具ホルダの混み具合、ハンマーの柄（物品の立ち下がり部位１２）の長さなどによって、いずれかの使用を選択して使用することができる。
【実施例３】
【００１９】
図５に示す本発明の実施例３において前記実施例１と主に異なる点は、一枚の金属製板部材を打ち抜きおよび曲げ加工によって、取付部位８、ベルト通し孔７、左側案内支持部１１、右側案内支持部１５、ヘッド上がり移動阻止部１８を一体的に形成してなるＴ字形物品ホルダ３１を形成した点にある。
移動阻止部１８の外側の湾曲凹みは、ヘッドの頂点が盛り上がった形態の例えば型枠大工用のハンマーなど、盛り上がった該頂点部位が通ることができるようにしてなるものである。これにより、ヘッドがストレートのものから頂点が大きく盛り上がりかつ釘抜き部を有しているものまで、多様な形態のハンマーに対応したものにできる。
ヘッド上がり移動阻止部１８は、左側案内支持部１１、右側案内支持部１５と同様な板棒形態とした形態もよい。
ヘッド上がり移動阻止部１８は別体で形成して熔接、ネジ止め、ピン止めなどによって固定する形態もよい。
左側案内支持部１１および右側案内支持部１５を別体で形成して、熔接、ネジ止め、ピン止めなどによって固定する形態もよい。
左側案内支持部１１とヘッド上がり移動阻止部の左側を１本の棒部材ないし板棒部材を折り曲げて形成し、右側案内支持部１５とヘッド上がり移動阻止部の右側を１本の棒部材ないし板棒部材を折り曲げて形成し、それを、間隔をあけて取付部位８に熔接、ネジ止め、ピン止めなどによって固定してなる形態もよい。
【実施例４】
【００２０】
図６に示す本発明の実施例４において前記実施例１と主に異なる点は、取付部位本体２３の上下幅を長くして、ベルト通し孔を腰ベルト６の略２倍程度の上下幅と長くした（それ以上長くても、それ以下の長さでも良い）ベルト通し孔３２とし、左側案内支持部１１と右側案内支持部１５の先端がヘッド上がり移動阻止部１８の外側先端より内側に位置したヘッド上がり移動阻止部１８に被さり形態としてなるＴ字形物品ホルダ３３を形成した点にある。
図６の左図のごとく、Ｔ字形物品４の立ち上がり部位１２が床等に当り押し上げられると、そのヘッド２４が上方へ移動してヘッド上がり移動阻止部１８に当りそのまま押し上がる。
これは、腰ベルト６に支持されながらベルト通し孔３２の位置が上に移動し、よって、全体としてＴ字形物品ホルダ３３全体が上に移動することによる。
【実施例５】
【００２１】
図７に示す本発明の実施例５において前記実施例１と主に異なる点は、取付部位本体２３の外面に上下方向に貫通した案内孔を有する上下移動案内部３５を設け、この上下移動案内部３５に上下に移動自在とされたプレート形態の上下移動体３６を設け、この上下移動体３６の上部外側面に連絡部位２０、２１を熔接やネジ止めなどにより固定してなるＴ字形物品ホルダ３７を形成した点にある。（図７の（ａ））
Ｔ字形物品４の立ち上がり部位１２が床等に当り押し上げられると、そのヘッド２４が上方へ移動してヘッド上がり移動阻止部１８に当りそのまま押し上がる。
【００２２】
また、上下移動体を、その上部を外側下向きに折曲げて通常時では取付部位８の略正面に位置する外側部位３８を形成した、上下移動部位３９と外側部位３８とからなる上下移動体４０とし、外側部位３８に連絡部位２０、２１を熔接やネジ止めなどにより固定してなるＴ字形物品ホルダ４１を形成した点にある。（図７の（ｂ））
Ｔ字形物品４の立ち上がり部位１２が床等に当り押し上げられると、そのヘッド２４が上方へ移動してヘッド上がり移動阻止部１８に当りそのまま押し上がる。
【００２３】
左側案内支持部１１と右側案内支持部１５の開きを阻止するために、左側案内支持部１１と右側案内支持部１５のそれぞれに、物品の立ち下がり部位１２が通過するたびに観音開き形態に回動して開き、かつ、付勢力により自動的に所定の停止位置に戻る向き合う回動体ａ、ｂを設け（図示せず）、この回動体ａの先端と回動体ｂの先端は、所定の停止位置では重なって、左右に開くことが阻止される凹部、凸部、かみ合い部などの形態とするのもよい。
回動体ａの回動体ｂ設ける位置は、左側案内立ち部位１０と左側案内支持部１４の中程より下方側に設けるのもよい。
【００２４】
[付記]
[付記１の発明]
ハンマーのハンマーヘッドを着脱自在形態で保持するヘッド保持部と、
このヘッド保持部に設けられた前記ハンマーヘッドが押し上げられた場合にその上がり移動を阻止するヘッド上がり移動阻止部と、
前記ヘッド保持部が直接的にあるいは他の部材を介して取り付けられた腰ベルトに装着される取付部位とからなるとともに、
前記ヘッド上がり移動阻止部にハンマーヘッドが当りさらに押し上げる力が加わった場合に、前記取付部位あるいは前記他の部材が上方に移動自在とされたことを特徴とするハンマーホルダ。
【産業上の利用可能性】
【００２５】
本発明は、主にハンマーを製造する産業、工具ホルダを製ぞする産業、建設業で利用される。
【符号の説明】
【００２６】
１：Ｔ字形部材用ホルダ、
２：物品の左側突出部位、
３：物品の右側突出部位、
４：Ｔ字形物品、
６：腰ベルト、
７：ベルト通し孔、
８：取付部位、
９：左側載り部位、
１０：左側案内立ち部位、
１１：左側案内支持部、
１２：物品の立ち下がり部位、
１３：右側載り部位、
１４：右側案内立ち部位、
１５：右側案内支持部、
１６：物品の立ち下がり部位出入り口、
１７：物品の立ち下がり部位移動空間、
１８：ヘッド上がり移動阻止部、
１９：ヘッド移動空間、
２０：連絡部位、
２１：連絡部位、
２２：連絡部位、
２３：取付部位本体、
２４：ヘッド、
２７：ベルト通し孔、
２８：取付部位、
２９：Ｔ字形物品ホルダ、
３１：Ｔ字形物品ホルダ、
３２：ベルト通し孔、
３３：Ｔ字形物品ホルダ、
３５：上下移動案内部、
３６：上下移動体、
３７：Ｔ字形物品ホルダ、
３８：外側部位、
３９：上下移動部位、
４０：上下移動体、
４１：Ｔ字形物品ホルダ。
【要約】      （修正有）【課題】ハンマーのヘッドが激しく捩れ振れ状態になっても、外れることがないＴ字形物品ホルダを提供する。【解決手段】（イ）ヘッド２４の右回り振れ時では、左側突出部位２の上部面ないし連絡部位２２上面はヘッド上がり移動阻止部１８の左側に当たり、左側突出部位２の外面ないし下縁は左側案内支持部１１に当り、右側突出部位３は右側載せ部位１３の根本、取付部位８ないし腰ベルト６に当りかつ右側載り部位１３にその下部面を押し付けられて阻止される。（ロ）ヘッド２４の左回り振れ時では、右側突出部位３の上部面ないし連絡部位２２上面はヘッド上がり移動阻止部１８の右側に当たり、右側突出部位３の外面ないし下縁は右側案内支持部１４に当り、左側突出部位２は左側載せ部位９、取付部位８ないし腰ベルト６に当りかつ左側載り部位９当たり、その下部面ないし下縁を押し付けられてその内側移動および下方移動が阻止される。【選択図】図２【図１】
0005156938.tif 000002
【図２】
0005156938.tif 000003
【図３】
0005156938.tif 000004
【図４】
0005156938.tif 000005
【図５】
0005156938.tif 000006
【図６】
0005156938.tif 000007
【図７】
0005156938.tif 000008